(57)【特許請求の範囲】
【請求項１】
遊技球を発射する発射機構を有するパチンコ遊技機のハンドルグリップ装置において、
パチンコ遊技機の本体枠に取付けられたグリップ本体と、このグリップ本体に回転可能に設けられたグリップ回転盤と、グリップ回転盤の前面を覆うカバー部とを有し、前記グリップ回転盤に発射ストップボタンが設けられていることを特徴とするパチンコ遊技機のハンドルグリップ装置。
【請求項２】
前記発射ストップボタンは、前記グリップ回転盤に内蔵されたマイクロスイッチを作動するように形成されていることを特徴とする請求項１記載のパチンコ遊技機のハンドルグリップ装置。
【請求項３】
前記発射ストップボタンは、前記グリップ回転盤の指掛け部に隣接して背面側に設けられていることを特徴とする請求項２記載のパチンコ遊技機のハンドルグリップ装置。
【請求項４】
前記発射ストップボタンと重なり合うように前記グリップ回転盤の周辺から突出する保護部が設けられていることを特徴とする請求項１記載のパチンコ遊技機のハンドルグリップ装置。
【請求項５】
前記保護部は、前記発射ストップボタンとほぼ重なり合うように大体同じ大きさに形成されていることを特徴とする請求項４記載のパチンコ遊技機のハンドルグリップ装置。
【発明の詳細な説明】
【０００１】
【発明の属する技術分野】
本発明は、パチンコ遊技機のハンドルグリップ装置、特に、パチンコ遊技機や同様な遊技機等の各種遊技機における遊技球のための発射ストップボタンを有するハンドルグリップ装置に関するものである。
【０００２】
【従来の技術】
従来から、一般的にパチンコ遊技機は、遊技球を発射操作するハンドルグリップ装置のグリップ回転盤を回転させることによって、発射ソレノイド（モーター）の電圧レベルが変化され、それによって遊技球が発射されるように構成されている。このような一般のハンドルグリップ装置は、本体枠に固着された固定のグリップ本体と、このグリップ本体に回転可能に設けられ、かつ指掛け部が形成されたグリップ回転盤と、グリップ回転盤を覆うように設けられたカバー部とから構成されている。斯様なハンドルグリップ装置において、グリップ回転盤を回転させた状態、すなわちハンドルグリップを握った状態で、遊技球の発射を停止させるために、発射ストップボタンが設けられている。このような発射ストップボタンは、遊技機の本体枠の一部に設置されているものと、発射ハンドルグリップ自体に設置されているものとがある。
【０００３】
【発明が解決しようとする課題】
しかしながら、前者の遊技機の本体枠に設けられたものにおいては、発射ストップボタンがハンドルグリップと離れた場所に設置されているために、遊技者にとって発射ストップボタンが押し難い、という問題がある。
【０００４】
また、後者の発射ハンドルグリップ自体に設けられたものにおいては、発射ストップボタンがハンドルグリップ自体の一部、すなわち本体枠上に固着されたグリップ本体に設置されているために、前者のものに比べて押し易くはなっているが、設置位置が固定されているために、ハンドルグリップを操作した時に、グリップ回転盤の形状によっては、発射ストップボタンがハンドルグリップの一部、例えばグリップ回転盤の指掛け部等に隠れてしまうことがあり、押し難いという問題点が見られる。
【０００５】
従って、本発明の目的は、このような従来における問題を解決するために、ハンドルグリップのグリップ回転盤の回転に合せて発射ストップボタンの位置も回転して移動することによって、遊技者がハンドルグリップを握りながら発射ストップボタンを押し易くすることができるパチンコ遊技機のハンドルグリップ装置を提供することにある。
【０００６】
【課題を解決するための手段】
上述の目的を達成するために、本発明に依れば、パチンコ遊技機のハンドルグリップ装置は、遊技球を発射する発射機構を有するパチンコ遊技機のハンドルグリップ装置において、パチンコ遊技機の本体枠に取付けられたグリップ本体と、このグリップ本体に回転可能に設けられたグリップ回転盤と、グリップ回転盤の前面を覆うカバー部とを有し、前記グリップ回転盤に発射ストップボタンが設けられていることを特徴とする。
【０００７】
また、本発明のパチンコ遊技機のハンドルグリップ装置は、前記発射ストップボタンが、前記グリップ回転盤に内蔵されたマイクロスイッチを作動するように形成されていることを特徴とする。
【０００８】
さらに、本発明のパチンコ遊技機のハンドルグリップ装置は、前記発射ストップボタンが、前記グリップ回転盤の指掛け部に隣接して背面側に設けられていることを特徴とする。
【０００９】
さらにまた、本発明のパチンコ遊技機のハンドルグリップ装置は、前記発射ストップボタンと重なり合うように前記グリップ回転盤の周辺から突出する保護部が設けられていることを特徴とする。
【００１０】
本発明のパチンコ遊技機のハンドルグリップ装置は、前記保護部が、前記発射ストップボタンとほぼ重なり合うように大体同じ大きさに形成されていることを特徴とする。
【００１１】
本発明のその他の目的や特徴および利点は、添付図面に示される本発明の幾つかの実施例に就いての以下の詳細な説明から明らかである。
【００１２】
【発明の実施の形態】
（実施例１）
図１は、本発明が適用されるパチンコ遊技機を示す正面図で、図２は、図１のパチンコ遊技機における遊技球の発射機構のハンドルグリップ装置の分解斜視図である。
【００１３】
図１に示されるように、本発明におけるパチンコ遊技機１は、固定の本体枠３と、この本体枠３に囲まれた遊技盤２と、パチンコ球のような遊技球を入れる上皿４と、遊技球を溜める貯留皿５と、遊技球を発射操作するためのハンドルグリップ装置１０とを主に具備している。このようなパチンコ遊技機１において、パチンコ球等の遊技球を発射するためのハンドルグリップ装置１０は、図２に示されるように、本体枠３に取付けられた固定のグリップ本体１１と、このグリップ本体１１に対して回転可能に設けられたグリップ回転盤１２と、グリップ回転盤１２の前面を覆うカバー部１３とからほぼ構成されており、グリップ回転盤１２には、遊技球の発射を操作するためにハンドルグリップ装置１０を握った手の指を掛けるための指掛け部１４と、遊技球の発射を停止するための発射ストップボタン１５とが設けられている。特に、発射ストップボタン１５は、マイクロスイッチ１６を作動するために、例えばグリップ回転盤１２の背面側に取付けられていて、グリップ回転盤１２と一緒に発射ストップボタン１５も回転されるようになっている。
【００１４】
図３（ａ）、（ｂ）および図４（ａ）、（ｂ）は、本発明のパチンコ遊技機１のハンドルグリップ装置１０における実施例１の詳細を示す図で、図３には、適用される発射ストップボタン１５と一緒に本発明のパチンコ遊技機１のハンドルグリップ装置１０での回転させない静止状態が図示されており、図３（ａ）はカバー部１３が装着されている正面図で、図３（ｂ）はグリップ回転盤１２とカバー部１３を省略して発射ストップボタン１５とマイクロスイッチ１６を示す図である。
【００１５】
また、図４には、本発明のパチンコ遊技機１のハンドルグリップ装置１０の回転させた状態が示されており、図４（ａ）はカバー部１３が装着されている正面図で、図４（ｂ）はグリップ回転盤１２とカバー部１３を省略して発射ストップボタン１５とマイクロスイッチ１６を示す図である。
【００１６】
さらに、図示されるように、このような本発明のパチンコ遊技機１のハンドルグリップ装置１０においては、発射ストップボタン１５とマイクロスイッチ１６がグリップ回転盤１２の背面側に取付けられており、発射ストップボタン１５は一端においてねじ１７によりグリップ回転盤１２に枢着され、他端にマイクロスイッチ作動用の押圧ローラ１８が設けられている。従って、発射ストップボタン１５を押すと、発射ストップボタン１５は、ねじ１７を中心として枢動して押圧ローラ１８を介してマイクロスイッチ１６を作動し、これによって遊技球の発射を停止することができるようになっている。
【００１７】
また、固定の本体枠３に取付けられたグリップ本体１１のほぼ中心にはピボット軸１９が設けられており、歯車２０とグリップ回転盤１２の軸受部２１とが取付けられていて、先端部にカバー部１３が装着されるようになっている。歯車２０は、グリップ本体１１に装着された可変抵抗器２２の小歯車２３と噛合っており、グリップ回転盤１２の回転を歯車２０、小歯車２３を介して可変抵抗器２２に伝えて、発射ソレノイド（モーター）の電圧レベルを変化することによって遊技球の発射速度を変換できるようになっている。
【００１８】
このように、図３（ａ）、（ｂ）の状態でハンドルグリップ装置１０を握ってグリップ回転盤１２を回転させて図４（ａ）、（ｂ）の状態にすることによって遊技球を発射させることができ、この状態において遊技球を発射させながら、発射ストップボタン１５を押せば、マイクロスイッチ１６を作動して遊技球の発射を停止することができる。
【００１９】
（実施例２）
図５には、本発明のパチンコ遊技機のハンドルグリップ装置の実施例２が示されており、図５（ａ）はハンドルグリップ装置１０’の正面図で、図５（ｂ）はハンドルグリップ装置１０’の側面図である。
【００２０】
図示されるように、本発明のパチンコ遊技機における本実施例のハンドルグリップ装置１０’は、グリップ回転盤１２の背面側に発射ストップボタン２５が設けられており、この発射ストップボタン２５に取付けられるグリップ回転盤１２の対応する周辺部位に、正面側から見て、保護部２６が発射ストップボタン２５と重なるような具合に突出して設けられていることが、先の実施例１のものと異なっており、他の部分に就いては実質的に同じである。
【００２１】
すなわち、図５（ａ）、（ｂ）に示されるように、この実施例２におけるパチンコ遊技機のハンドルグリップ装置１０’は、正面側から見て、発射ストップボタン２５とほぼ同じ大きさ、好適には幾分大き目の大きさの寸法、に形成された保護部２６が図示の如く重なり合うような具合に、グリップ回転盤１２の周辺部に、径方向に突出して設けられている。従って、遊技者側から見ると、保護部２６の奥側に発射ストップボタン２５が配置されているために、遊技者が、この保護部２６によって誤って発射ストップボタン２５に触れて押圧するようなことが無く、発射ストップボタン２５の誤作動を防止することができるように配置されており、必要時にのみ、発射ストップボタン２５を押すことができるようになっている。また、上記指掛け部１４を手前側（保護部２６）と奥側（発射ストップボタン２５）とに半分づつ切り分けて使用しても良い。さらに、指掛け部１４自体を同様に使っても良い。グリップ本体１１の外周部には、図５（ｂ）に示されるように、グリップ回転盤１２に取付けられた発射ストップボタン２５の回転移動のための開口部２７が設けられている。
【００２２】
【発明の効果】
以上説明したように、本発明によれば、請求項１記載のパチンコ遊技機のハンドルグリップ装置は、遊技球を発射する発射機構を有するパチンコ遊技機のハンドルグリップ装置において、パチンコ遊技機の本体枠に取付けられたグリップ本体と、このグリップ本体に回転可能に設けられたグリップ回転盤と、グリップ回転盤の前面を覆うカバー部とを有し、前記グリップ回転盤に発射ストップボタンが設けられているので、ハンドルグリップ装置を握ってグリップ回転盤を回転させた状態で、遊技球を発射させながら、発射ストップボタンを押してマイクロスイッチを作動し、これによって遊技球の発射を停止することができる。
【００２３】
本発明の請求項２記載のパチンコ遊技機のハンドルグリップ装置は、前記発射ストップボタンが、前記グリップ回転盤に内蔵されたマイクロスイッチを作動するように形成されているので、グリップ回転盤の操作と同時に、発射ストップボタンを押してマイクロスイッチを作動させることによって遊技球の発射を停止することができる。
【００２４】
本発明の請求項３記載のパチンコ遊技機のハンドルグリップ装置は、前記発射ストップボタンが、前記グリップ回転盤の指掛け部に隣接して背面側に設けられているので、発射ストップボタンを容易に作動することができ、遊技球の発射を好適に停止することができる。
【００２５】
本発明の請求項４記載のパチンコ遊技機のハンドルグリップ装置は、前記発射ストップボタンと重なり合うように前記グリップ回転盤の周辺から突出する保護部が設けられているので、保護部の奥側に発射ストップボタンが配置されているために、この保護部によって誤って発射ストップボタンに触れることが無く、誤作動を防止することができる。
【００２６】
本発明の請求項５記載のパチンコ遊技機のハンドルグリップ装置は、前記保護部が、前記発射ストップボタンとほぼ重なり合うように大体同じ大きさに形成されているので、保護部の奥側に発射ストップボタンが配置されているために、この保護部によって遊技者が誤って発射ストップボタンに触れることが無く、誤作動を防止することができる。
【図面の簡単な説明】
【図１】本発明が適用されるパチンコ遊技機を示す正面図である。
【図２】図１のパチンコ遊技機の遊技球を発射する発射機構における本発明のハンドルグリップ装置の実施例１での分解斜視図である。
【図３】適用される発射ストップボタンと一緒に本発明のパチンコ遊技機のハンドルグリップ装置の回転させない静止状態を示す図で、（ａ）はカバー部が装着されている正面図で、（ｂ）はグリップ回転盤とカバー部を省略して発射ストップボタンとマイクロスイッチを示す図である。
【図４】本発明のパチンコ遊技機のハンドルグリップ装置での回転させた状態を示す図で、（ａ）はカバー部が装着されている正面図で、（ｂ）はグリップ回転盤とカバー部を省略して発射ストップボタンとマイクロスイッチを示す図である。
【図５】本発明のパチンコ遊技機のハンドルグリップ装置の実施例２を示す図で、（ａ）はカバー部が装着されている正面図で、（ｂ）は側面図である。
【符号の説明】
１      パチンコ遊技機
２      遊技盤
３      本体枠
４      上皿
５      遊技球貯留皿
１０    ハンドルグリップ装置
１０’  ハンドルグリップ装置
１１    グリップ本体
１２    グリップ回転盤
１３    カバー部
１４    指掛け部
１５    発射ストップボタン
１６    マイクロスイッチ
１７    ねじ
１８    押圧ローラ
１９    ピボット軸
２０    歯車
２１    軸受部
２２    可変抵抗器
２３    小歯車
２５    発射ストップボタン
２６    保護部
２７    開口部
【図１】
0003572007.tif 000002
【図２】
0003572007.tif 000003
【図３】
0003572007.tif 000004
【図４】
0003572007.tif 000005
【図５】
0003572007.tif 000006